(57)【特許請求の範囲】
【請求項１】
施設から電力系統への逆潮流が許可されていない第１状態で動作する分散電源が、前記逆潮流が許可された第２状態と前記第１状態とを切り替える能力を前記分散電源が有するか否かを示す切替能力メッセージを管理装置に送信するステップと、
前記分散電源が前記能力を有する場合において、前記第２状態で前記分散電源が動作することを許可する許可メッセージを前記管理装置から前記分散電源が受信するステップと、
前記許可メッセージを受信した後において、前記分散電源が前記第１状態の動作を前記第２状態の動作に切り替えるステップと、
前記第２状態の動作から前記第１状態の動作への切り替えが指示されなくても、所定条件が満たされた場合に、前記分散電源が前記第２状態の動作を前記第１状態の動作に切り替えるステップと、を備える、管理方法。
【請求項２】
前記管理装置から前記分散電源に対して、前記所定条件を指定するメッセージを送信するステップを備える、請求項１に記載の管理方法。
【請求項３】
前記所定条件は、前記分散電源が前記第２状態の動作を継続する時間が所定時間に達することである、請求項１又は請求項２に記載の管理方法。
【請求項４】
前記所定条件は、前記分散電源の累積出力が所定出力に達することである、請求項１乃至請求項３のいずれかに記載の管理方法。
【請求項５】
前記許可メッセージは、前記分散電源が前記第２状態の動作を継続する時間と対応付けられており、
前記許可メッセージと対応付けられた時間に応じて、前記管理装置が、前記分散電源への前記許可メッセージの送信を繰り返すステップを含む、請求項１乃至請求項４のいずれかに記載の管理方法。
【請求項６】
前記切り替えるステップは、前記第２状態の動作から前記第１状態の動作への切り替えが指示された場合に、前記所定条件が満たされていなくても、前記分散電源が前記第２状態の動作を前記第１状態の動作に切り替えるステップを含む、請求項１乃至請求項５のいずれかに記載の管理方法。
【請求項７】
前記第２状態の動作から前記第１状態の動作への切り替えの指示は、前記管理装置から前記分散電源に送信されるメッセージ又はユーザ操作によって行われる、請求項６に記載の管理方法。
【請求項８】
前記分散電源は、蓄電池装置であり、
前記切り替えるステップは、前記蓄電池装置が前記許可メッセージを受信した後において、前記蓄電池装置の放電を指示するメッセージを前記蓄電池装置が受信したことに応じて、前記蓄電池装置が前記第１状態の動作を前記第２状態の動作に切り替えるステップを含む、請求項１乃至請求項７のいずれかに記載の管理方法。
【請求項９】
前記分散電源は、蓄電池装置であり、
前記分散電源が前記第１状態の動作を前記第２状態の動作に切り替えた場合であっても、前記蓄電池装置の蓄電残量が閾値よりも少ない場合には、前記第２状態であっても前記蓄電池装置の放電を行わないよう制御するステップを有する、請求項１乃至請求項８のいずれかに記載の管理方法。
【請求項１０】
施設から電力系統への逆潮流が許可されていない第１状態で動作する分散電源から、前記逆潮流が許可された第２状態と前記第１状態とを切り替える能力を前記分散電源が有するか否かを示す切替能力メッセージを受信する受信部と、
前記分散電源が前記能力を有する場合において、前記第２状態で動作することを許可する許可メッセージを送信する送信部と、を備え、
前記分散電源は、前記許可メッセージを受信した後において、前記第１状態の動作を前記第２状態の動作に切り替えるように構成されており、
前記分散電源は、前記第２状態の動作から前記第１状態の動作への切り替えが指示されなくても、所定条件が満たされた場合に、前記第２状態の動作を前記第１状態の動作に切り替えるように構成されている、管理装置。
【請求項１１】
施設から電力系統への逆潮流が許可されていない第１状態で動作する分散電源であって、
前記分散電源が、前記逆潮流が許可された第２状態と前記第１状態とを切り替える能力を前記分散電源が有するか否かを示す切替能力メッセージを管理装置に送信する送信部と、
前記分散電源が前記能力を有する場合において、前記第２状態で動作することを許可する許可メッセージを前記管理装置から受信する受信部と、
前記許可メッセージを受信した後において、前記第１状態の動作を前記第２状態の動作に切り替える制御部と、を備え、
前記制御部は、前記第２状態の動作から前記第１状態の動作への切り替えが指示されなくても、所定条件が満たされた場合に、前記第２状態の動作を前記第１状態の動作に切り替える、分散電源。
【請求項１２】
施設から電力系統への逆潮流が許可されていない第１状態で動作する分散電源と、管理装置とを備える管理システムであって、
前記分散電源は、前記逆潮流が許可された第２状態と前記第１状態とを切り替える能力を前記分散電源が有するか否かを示す切替能力メッセージを前記管理装置に送信し、
前記管理装置は、前記分散電源が前記能力を有する場合において、前記第２状態で動作することを許可する許可メッセージを前記分散電源に送信し、
前記分散電源は、前記許可メッセージを受信した後において、前記第１状態の動作を前記第２状態の動作に切り替え、
前記分散電源は、前記第２状態の動作から前記第１状態の動作への切り替えが指示されなくても、所定条件が満たされた場合に、前記第２状態の動作を前記第１状態の動作に切り替える、管理システム。
【発明の詳細な説明】
【技術分野】
【０００１】
本発明は、管理方法、管理装置、分散電源及び管理システムに関する技術である。
【背景技術】
【０００２】
近年、施設に設けられる分散電源を利用することによって、電力系統の電力需給バランスを調整する技術が注目を集めている。このような分散電源としては、例えば、自然エネルギーを利用する電源（太陽光発電装置、風力発電装置及び水力発電装置）が挙げられる。【０００３】
また、機器と、機器を管理する管理装置とを有する管理システムが提案されている。管理システムは、管理する対象に応じて、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。【０００４】
上述した管理システムの普及には、機器と管理装置との間の通信規格を共通化することが効果的であり、このような通信規格の共通化が試みられている。【０００５】
ところで、施設から電力系統への逆潮流が許可されていない状態で動作する分散電源を一時的に利用したいというニーズが存在するが、このようなニーズを実現するためには、上述した管理システムで用いる通信規格に様々な工夫が必要である。
【先行技術文献】
【特許文献】
【０００６】
【特許文献１】特開２０１０−１２８８１０号公報
【発明の概要】
【０００７】
第１の特徴は、管理方法に関する。前記管理方法は、施設から電力系統への逆潮流が許可されていない第１状態で動作する分散電源に対して、前記逆潮流が許可された第２状態で動作することを許可する許可メッセージを管理装置から送信するステップＡと、前記許可メッセージを受信した後において、前記分散電源が前記第１状態の動作を前記第２状態の動作に切り替えるステップＢと、前記第２状態の動作から前記第１状態の動作への切り替えが指示されなくても、所定条件が満たされた場合に、前記分散電源が前記第２状態の動作を前記第１状態の動作に切り替えるステップＣとを備える。
【０００８】
第２の特徴は、管理装置に関する。前記管理装置は、施設から電力系統への逆潮流が許可されていない第１状態で動作する分散電源に対して、前記逆潮流が許可された第２状態で動作することを許可する許可メッセージを送信する送信部を備える。前記分散電源は、前記許可メッセージを受信した後において、前記第１状態の動作を前記第２状態の動作に切り替えるように構成されている。前記分散電源は、前記第２状態の動作から前記第１状態の動作への切り替えが指示されなくても、所定条件が満たされた場合に、前記第２状態の動作を前記第１状態の動作に切り替えるように構成されている。
【０００９】
第３の特徴は、施設から電力系統への逆潮流が許可されていない第１状態で動作する分散電源に関する。前記分散電源は、前記逆潮流が許可された第２状態で動作することを許可する許可メッセージを受信する受信部と、前記許可メッセージを受信した後において、前記第１状態の動作を前記第２状態の動作に切り替える制御部とを備える。前記制御部は、前記第２状態の動作から前記第１状態の動作への切り替えが指示されなくても、所定条件が満たされた場合に、前記第２状態の動作を前記第１状態の動作に切り替える。
【００１０】
第４の特徴は、分散電源と管理装置とを備える管理システムに関する。前記管理装置は、施設から電力系統への逆潮流が許可されていない第１状態で動作する前記分散電源に対して、前記逆潮流が許可された第２状態で動作することを許可する許可メッセージを送信する。前記分散電源は、前記許可メッセージを受信した後において、前記第１状態の動作を前記第２状態の動作に切り替える。前記分散電源は、前記第２状態の動作から前記第１状態の動作への切り替えが指示されなくても、所定条件が満たされた場合に、前記第２状態の動作を前記第１状態の動作に切り替える。
【図面の簡単な説明】
【００１１】
【図１】図１は、実施形態に係る管理システム１を示す図である。
【図２】図２は、実施形態に係る通信装置１３２を示す図である。
【図３】図３は、実施形態に係るＥＭＳ１６０を示す図である。
【図４】図４は、実施形態に係るＳＥＴコマンドの一例を示す図である。
【図５】図５は、実施形態に係るＳＥＴ応答コマンドの一例を示す図である。
【図６】図６は、実施形態に係るＧＥＴコマンドの一例を示す図である。
【図７】図７は、実施形態に係るＧＥＴ応答コマンドの一例を示す図である。
【図８】図８は、実施形態に係るＩＮＦコマンドの一例を示す図である。
【図９】図９は、実施形態に係る管理方法を示すシーケンス図である。
【図１０】図１０は、実施形態に係る管理方法を示すシーケンス図である。
【図１１】図１１は、変更例１に係る管理方法を示すシーケンス図である。
【図１２】図１２は、変更例１に係る管理方法を示すシーケンス図である。
【図１３】図１３は、変更例２に係る管理方法を示すシーケンス図である。
【図１４】図１４は、変更例２に係る管理方法を示すシーケンス図である。
【図１５】図１５は、変更例３に係る管理方法を示すシーケンス図である。
【発明を実施するための形態】
【００１２】
以下において、実施形態について図面を参照しながら説明する。以下の図面の記載において、同一又は類似の部分には、同一又は類似の符号を付している。
【００１３】
但し、図面は模式的なものであり、各寸法の比率などは現実のものとは異なる場合がある。従って、具体的な寸法などは以下の説明を参酌して判断すべきである。図面相互間においても互いの寸法の関係や比率が異なる部分が含まれている。
【００１４】
［実施形態］
（管理システム）
以下において、実施形態に係る管理システムについて説明する。図１に示すように、管理システム１は、施設１００と、外部サーバ４００と、ユーザ端末５００とを有する。施設１００は、ルータ２００を有する。ルータ２００は、ネットワーク３００を介して外部サーバ４００と接続される。ルータ２００は、ローカルエリアネットワークを構成しており、各装置（例えば、ＰＣＳ１３０の通信装置１３２、負荷１５０、ＥＭＳ１６０及び表示装置１７０など）と接続される。図１において、実線は電力線を示しており、点線は信号線を示している。なお、これに限定されるものではなく、電力線で信号を送信してもよい。
【００１５】
施設１００は、太陽電池１１０と、蓄電池１２０と、ＰＣＳ１３０と、分電盤１４０と、負荷１５０と、ＥＭＳ１６０と、表示装置１７０とを有する。
【００１６】
太陽電池１１０は、受光に応じて発電を行う装置である。太陽電池１１０は、発電されたＤＣ電力を出力する。太陽電池１１０の発電量は、太陽電池１１０に照射される日射量に応じて変化する。実施形態では、太陽電池１１０は、例えば、ＰＣＳ１３０の機能の一部とともに、施設１００から電力系統１０への第１方向へ電力を流すこと（逆潮流）が許可されている状態で動作する分散電源を構成する。なお、第１方向は、電力系統１０から電力を買電する方向である第２方向（潮流）とは異なる方向で定義される。
【００１７】
蓄電池１２０は、電力を蓄積する装置である。蓄電池１２０は、蓄積されたＤＣ電力を出力する。実施形態では、蓄電池１２０は、例えば、ＰＣＳ１３０の機能の一部とともに、施設１００から電力系統１０への逆潮流が許可されていない状態で動作する分散電源を構成する。但し、蓄電池１２０は、逆潮流が一時的に許可された状態で動作してもよい。
【００１８】
ＰＣＳ１３０は、分散電源からの出力電力及び分散電源への入力電力の少なくともいずれかを交流電力又は直流電力に変換する電力変換装置（ＰＣＳ；Ｐｏｗｅｒ  Ｃｏｎｄｉｔｉｏｎｉｎｇ  Ｓｙｓｔｅｍ）の一例である。実施形態では、ＰＣＳ１３０は、変換装置１３１及び通信装置１３２を有する。実施形態では、ＰＣＳ１３０は、変換装置１３１を含むユニットの一例である。
【００１９】
変換装置１３１は、太陽電池１１０からのＤＣ電力をＡＣ電力に変換するとともに、蓄電池１２０からのＤＣ電力をＡＣ電力に変換する。さらに、変換装置１３１は、電力系統１０からのＡＣ電力をＤＣ電力に変換する。変換装置１３１は、電力系統１０に接続された主幹電力線１０Ｌ（ここでは、主幹電力線１０ＬＡ及び主幹電力線１０ＬＢ）に第１分電盤１４０Ａを介して接続されるとともに、太陽電池１１０及び蓄電池１２０の双方に接続される。主幹電力線１０ＬＡは、電力系統１０と第１分電盤１４０Ａとを接続する電力線であり、主幹電力線１０ＬＢは、第１分電盤１４０Ａと第２分電盤１４０Ｂとを接続する電力線である。なお、本実施形態では、変換装置１３１は太陽電池１１０及び蓄電池１２０に接続されたハイブリッド型の電力変換装置について説明するが、太陽電池１１０及び蓄電池１２０のそれぞれに電力変換装置が接続されるように構成してもよい。太陽電池１１０及び蓄電池１２０のそれぞれに電力変換装置が接続される構成である場合、それぞれの電力変換装置は、本実施形態のハイブリッド型の電力変換装置と同様の制御が可能となっている。
【００２０】
通信装置１３２は、変換装置１３１と接続されており、変換装置１３１への各種メッセージを受信するとともに、変換装置１３１からの各種メッセージを送信する。通信装置１３２と変換装置１３１との間の通信では、ＰＣＳ１３０に適用されるプロトコル（例えば、独自プロトコル）が用いられる。
【００２１】
実施形態では、通信装置１３２は、有線又は無線によってルータ２００と接続される。通信装置１３２は、ルータ２００を介して外部サーバ４００と接続されており、分散電源の出力抑制を指示する出力抑制メッセージを外部サーバ４００から受信する。第２に、通信装置１３２は、ルータ２００を介してＥＭＳ１６０と接続されており、所定フォーマットを有する所定コマンドの通信をＥＭＳ１６０と行う。所定フォーマットは、特に限定されるものではなく、例えば、ＥＣＨＯＮＥＴ方式、ＥＣＨＯＮＥＴ  Ｌｉｔｅ方式、ＳＥＰ２．０方式又はＫＮＸ方式等を用いることができる。
【００２２】
所定フォーマットは、例えば、ＥＣＨＯＮＥＴ  Ｌｉｔｅ方式に準拠するフォーマットについて説明する。このようなケースにおいて、所定コマンドは、例えば、要求コマンド、要求コマンドに対する応答である要求応答コマンド、又は情報通知コマンドに大別することができる。要求コマンドは、例えば、ＳＥＴコマンド又はＧＥＴコマンドなどである。要求応答コマンドは、例えば、ＳＥＴコマンドに対する応答であるＳＥＴ応答コマンド、ＧＥＴコマンドに対する応答であるＧＥＴ応答コマンドなどである。情報通知コマンドは、例えば、ＩＮＦコマンドなどである。
【００２３】
ＳＥＴコマンドは、ＰＣＳ１３０に対する設定又は操作を指示するプロパティを含むコマンドである。ＳＥＴ応答コマンドは、ＳＥＴコマンドを受信した旨を示すコマンドである。ＧＥＴコマンドは、ＰＣＳ１３０の状態を示すプロパティを含み、ＰＣＳ１３０の状態を取得するためのコマンドである。ＧＥＴ応答コマンドは、ＰＣＳ１３０の状態を示すプロパティを含み、ＧＥＴコマンドで要求された情報を含むコマンドである。ＩＮＦコマンドは、ＰＣＳ１３０の状態を示すプロパティを含み、ＰＣＳ１３０の状態を通知するためのコマンドである。
【００２４】
分電盤１４０は、主幹電力線１０Ｌに接続される。分電盤１４０は、第１分電盤１４０Ａ及び第２分電盤１４０Ｂを有する。第１分電盤１４０Ａは、主幹電力線１０ＬＡを介して電力系統１０に接続されているとともに、変換装置１３１を介して太陽電池１１０及び蓄電池１２０と接続されている。また、第１分電盤１４０Ａは、変換装置１３１から出力される電力及び電力系統１０から供給される電力を制御して主幹電力線１０ＬＢに流す。主幹電力線１０ＬＢから流れてきた電力は、第２分電盤１４０Ｂによって、各機器（ここでは、負荷１５０及びＥＭＳ１６０）に分配される。
【００２５】
負荷１５０は、電力線を介して供給される電力を消費する装置である。例えば、負荷１５０は、エアーコンディショナ、照明装置、冷蔵庫、テレビなどの装置を含む。負荷１５０は、単数の装置であってもよく、複数の装置を含んでもよい。
【００２６】
ＥＭＳ１６０は、施設１００における電力を示す電力情報を管理する装置（ＥＭＳ；Ｅｎｅｒｇｙ  Ｍａｎａｇｅｍｅｎｔ  Ｓｙｓｔｅｍ）である。施設１００における電力とは、施設１００内を流れる電力、施設１００が買電する電力、又は施設１００から売電する電力等を指すものである。従って、例えば、ＥＭＳ１６０は、少なくともＰＣＳ１３０を管理する。
【００２７】
ＥＭＳ１６０は、太陽電池１１０の発電量、蓄電池１２０の充電量及び蓄電池１２０の放電量を制御してもよい。ＥＭＳ１６０は、分電盤１４０と一体として構成されていてもよい。ＥＭＳ１６０は、ネットワーク３００に接続された装置であり、ＥＭＳ１６０が有する機能は、ネットワーク３００を介したクラウドサービスによって提供されてもよい。
【００２８】
実施形態では、ＥＭＳ１６０は、ルータ２００を介して各機器（例えば、ＰＣＳ１３０の通信装置１３２及び負荷１５０）と接続されており、所定フォーマットを有する所定コマンドの通信を各機器と行う。
【００２９】
ＥＭＳ１６０は、ルータ２００を介して表示装置１７０と接続されており、表示装置１７０と通信を行う。ＥＭＳ１６０は、所定フォーマットを有する所定コマンドの通信を表示装置１７０と行ってもよい。上述したように、所定フォーマットは、例えば、ＥＣＨＯＮＥＴ  Ｌｉｔｅ方式に準拠するフォーマットである。
【００３０】
表示装置１７０は、ＰＣＳ１３０の状態を表示する。表示装置１７０は、施設１００における電力を示す電力情報を表示してもよい。表示装置１７０は、例えば、スマートフォン、タブレット、テレビ、パーソナルコンピュータ又は専用端末である。表示装置１７０は、有線又は無線によってＥＭＳ１６０と接続されており、ＥＭＳ１６０と通信を行う。表示装置１７０は、所定フォーマットを有する所定コマンドの通信をＥＭＳ１６０と行ってもよい。表示装置１７０は、各種情報の表示に必要なデータをＥＭＳ１６０から受信する。
【００３１】
ネットワーク３００は、ＥＭＳ１６０及び外部サーバ４００を接続する通信網である。ネットワーク３００は、インターネットのような公衆通信回線であってもよい。ネットワーク３００は、移動体通信網を含んでもよい。また、ネットワーク３００は、専用通信回線であってもよいし、一般通信回線であってもよい。例えば、太陽電池１１０の出力が所定の出力以上である場合には、ネットワーク３００として専用通信回線を用いることにより、より確実に出力抑制を実施することができる。
【００３２】
外部サーバ４００は、発電事業者、送配電事業者或いは小売事業者などの事業者によって管理されるサーバである。例えば、事業者は、分散電源の出力抑制を指定するものであり、例えば、発電事業者、送配電事業者、小売事業者或いは分散電源の群管理事業者などの事業者である。具体的には、外部サーバ４００は、分散電源の出力抑制を指示する出力抑制メッセージを送信する。外部サーバ４００は、電力系統１０から施設１００に対する潮流量の抑制を指示する潮流量抑制メッセージ（ＤＲ；Ｄｅｍａｎｄ  Ｒｅｓｐｏｎｓｅ）を送信してもよい。
【００３３】
出力抑制メッセージは、分散電源（ここでは、太陽電池１１０）の出力抑制のレベルを示す目標出力抑制レベルを含む。目標出力抑制レベルは、分散電源を制御するＰＣＳの出力能力（例えば、定格出力）として認定を受けた出力（以下、設備認定出力［ｋＷ］）に応じて定められる。分散電源は、蓄電池１２０及び燃料電池であってもよい。出力抑制メッセージは、分散電源の出力抑制のスケジュールを示すカレンダー情報を含んでいてもよい。カレンダー情報において、分散電源の出力抑制のスケジュールは３０分単位で設定可能である。カレンダー情報は、１日分のスケジュールを含んでもよく、１月分のスケジュールを含んでもよく、１年分のスケジュールを含んでもよい。
【００３４】
実施形態では、外部サーバ４００は、ＥＭＳ１６０を経由して、変換装置１３１を制御する電力制御メッセージをＰＣＳ１３０に送信する。電力制御メッセージは、変換装置１３１を制御するメッセージであればよく、太陽電池１１０の出力の増減を指示するメッセージであってもよく、蓄電池１２０の蓄電又は放電を指示するメッセージであってもよい。また、電力制御メッセージは、出力抑制メッセージ及び潮流量抑制メッセージであってもよいが、出力抑制メッセージ又は潮流量抑制メッセージは、ＥＭＳ１６０を経由せずに外部サーバ４００からＰＣＳ１３０に送信されてもよい。
【００３５】
ユーザ端末５００は、ＥＭＳ１６０を経由して、変換装置１３１を制御する電力制御メッセージを送信する。ユーザ端末５００は、例えば、スマートフォン、タブレット又は専用端末である。ユーザ端末５００は、太陽電池１１０、蓄電池１２０又はＰＣＳ１３０を利用するユーザが所持する端末であってもよく、太陽電池１１０、蓄電池１２０又はＰＣＳ１３０のメンテナンスを担う業者が所持する端末であってもよい。電力制御メッセージは、変換装置１３１を制御するメッセージであればよく、太陽電池１１０の出力の増減を指示するメッセージであってもよく、蓄電池１２０の蓄電又は放電を指示するメッセージであってもよい。
【００３６】
図１では、ユーザ端末５００は、ネットワーク３００及びルータ２００を介してＥＭＳ１６０と接続されているが、実施形態はこれに限定されるものではない。ユーザ端末５００は、施設１００内に位置しており、ネットワーク３００を経由せずにルータ２００を介してＥＭＳ１６０と接続されていてもよい。例えば、ユーザ端末５００は、上述した表示装置１７０であってもよい。なお、ユーザ端末５００は、ネットワーク３００を経由してルータ２００を介してＥＭＳ１６０と接続してもよい。
【００３７】
（適用シーン）
上述したように、施設１００に設けられる分散電源は、施設１００から電力系統１０への逆潮流が許可されている分散電源（例えば、太陽電池１１０）だけではなく、施設１００から電力系統１０への逆潮流が許可されていない分散電源（例えば、蓄電池１２０）を含み得る。このような背景下において、電力系統１０の電力需給バランスによっては、施設１００から電力系統１０への逆潮流が許可されている分散電源だけではなく、施設１００から電力系統１０への逆潮流が許可されていない分散電源を逆潮流させることが可能な分散電源として利用したいというニーズが存在する。より具体的なニーズとしては、施設１００が保有する分散電源を複数の施設１００に亘ってまとめて利用する仮想発電所（Ｖｉｒｔｕａｌ  Ｐｏｗｅｒ  Ｐｌａｎｔ）として用いることが考えられる。このようなニーズを実現するためには、上述した管理システム１で用いる通信規格に様々な工夫が必要である。
【００３８】
実施形態では、限られた条件のなかで、逆潮流が許可された状態で動作することを許可する許可メッセージを新たに定義する。ＥＣＨＯＮＥＴ  Ｌｉｔｅ方式では、例えば、上述したＳＥＴコマンドの１つを許可メッセージとして用いることができる。
【００３９】
具体的には、ＥＭＳ１６０は、逆潮流が許可されていない第１状態で動作する蓄電池１２０に対して、逆潮流が許可された第２状態で動作することを許可する許可メッセージを送信する。実施形態では、蓄電池１２０がＰＣＳ１３０によって制御されているため、蓄電池１２０へのメッセージの送信は、ＰＣＳ１３０へのメッセージの送信と同義と考えてもよい。以下においては、蓄電池１２０へのメッセージは、ＰＣＳ１３０に送信されるものとして説明を続ける。
【００４０】
特に限定されるものではないが、例えば、ＥＭＳ１６０は、電力系統１０において電力需要が電力供給よりも多い場合に、許可メッセージをＰＣＳ１３０に送信してもよい。例えば、ＥＭＳ１６０は、外部サーバ４００から潮流量抑制メッセージを受信した場合に、許可メッセージをＰＣＳ１３０に送信してもよい。
【００４１】
蓄電池１２０は、ＰＣＳ１３０の制御によって、許可メッセージの受信後において、第１状態の動作を第２状態の動作に切り替える。許可メッセージに第２状態の動作へ切り換え可能な時間、開始時刻又は終了時刻を含んでいてもよく、許可メッセージにそのような時間又は時刻を含んでいる場合には切り換え可能な時間内又は時刻に第１状態の動作を第２状態の動作へ切り替える。
【００４２】
蓄電池１２０は、許可メッセージの受信に応じて、第１状態の動作を第２状態の動作に切り替えてもよい。蓄電池１２０は、許可メッセージの受信後において、蓄電池１２０の放電を指示するメッセージの受信に応じて、第１状態の動作を第２状態の動作に切り替えてもよい。
【００４３】
蓄電池１２０は、第２状態の動作から第１状態の動作への切り替えが指示されなくても、所定条件が満たされた場合に、ＰＣＳ１３０の制御によって第２状態の動作を第１状態の動作に切り替える（すなわち、第２状態の動作を停止する）。すなわち、蓄電池１２０は、ＥＭＳ１６０から特別な指示を受けなくても、第２状態の動作を自律的に停止する。
【００４４】
このような前提下において、ＥＭＳ１６０は、所定条件を指定するメッセージ（以下、条件指定メッセージ）をＰＣＳ１３０に送信してもよい。所定条件は、蓄電池１２０が第２状態の動作を継続する時間が所定時間に達することであってもよく、条件指定メッセージは、所定時間を示す情報を含む。所定条件は、蓄電池１２０の累積出力が所定出力に達することであってもよく、条件指定メッセージは、所定出力を示す情報を含む。「出力」とは、例えば、Ｗｈ又はｋＷｈによって表される。
【００４５】
特に限定されるものではないが、ＥＭＳ１６０から条件指定メッセージを送信するタイミングは、許可メッセージと同じタイミング又は許可メッセージよりも前であってもよい。条件指定メッセージが許可メッセージと同じタイミングで送信される場合には、条件指定メッセージ及び許可メッセージは１つのメッセージであってもよい。例えば、許可メッセージが所定条件を指定する情報を含んでもよい。
【００４６】
（通信装置）
以下において、実施形態に係る通信装置について説明する。図２に示すように、通信装置１３２は、第１通信部１３２Ａと、第２通信部１３２Ｂと、インタフェース１３２Ｃと、制御部１３２Ｄとを有する。通信装置１３２（すなわち、ＰＣＳ１３０）は機器の一例である。
【００４７】
第１通信部１３２Ａは、出力抑制メッセージ又は潮流量抑制メッセージを外部サーバ４００から受信する。実施形態では、第１通信部１３２Ａは、ＥＭＳ１６０を経由せずに、出力抑制メッセージ又は潮流量抑制メッセージを受信してもよく、ＥＭＳ１６０を経由して、出力抑制メッセージ又は潮流量抑制メッセージを受信してもよい。
【００４８】
第２通信部１３２Ｂは、所定フォーマットを有する所定コマンドの通信をＥＭＳ１６０と行う。上述したように、所定フォーマットは、例えば、ＥＣＨＯＮＥＴ  Ｌｉｔｅ方式に準拠するフォーマットである。ここで、通信装置１３２（第２通信部１３２Ｂ）とＥＭＳ１６０との通信で用いられる所定フォーマットは、通信装置１３２（第１通信部１３２Ａ）と外部サーバ４００との通信で用いられるフォーマットと異なってもよい。また、第２通信部１３２Ｂ（第２通信部１３２Ｂ）とＥＭＳ１６０との通信で用いられる所定フォーマットは、通信装置１３２（インタフェース１３２Ｃ）と変換装置１３１との通信で用いられるフォーマットと異なってもよい。
【００４９】
インタフェース１３２Ｃは、変換装置１３１とのインタフェースである。インタフェース１３２Ｃは、有線のインタフェースであってもよく、無線のインタフェースであってもよい。通信装置１３２と変換装置１３１との間の通信では、ＰＣＳ１３０に適用されるプロトコル（例えば、独自プロトコル）が用いられる。
【００５０】
制御部１３２Ｄは、メモリ及びＣＰＵによって構成されており、通信装置１３２を制御する。例えば、制御部１３２Ｄは、インタフェース１３２Ｃを用いて変換装置１３１を制御することによって、出力抑制メッセージに従って分散電源の出力を制御する。制御部１３２Ｄは、インタフェース１３２Ｃを用いて、変換装置１３１の状態（例えば、太陽電池１１０の発電量、蓄電池１２０の蓄電量、蓄電池１２０の放電量）を変換装置１３１から取得する。制御部１３２Ｄは、ＥＭＳ１６０から受信するコマンドに基づいて変換装置１３１を制御するためのコマンドを生成し、インタフェース１３２Ｃを用いてコマンドを変換装置１３１に出力する。
【００５１】
（管理装置）
以下において、実施形態に係る管理装置について説明する。図３に示すように、ＥＭＳ１６０は、通信部１６１と、制御部１６２とを有する。
【００５２】
通信部１６１は、所定フォーマットを有する所定コマンドの通信を通信装置１３２及び表示装置１７０と行う。上述したように、所定フォーマットは、例えば、ＥＣＨＯＮＥＴ  Ｌｉｔｅ方式に準拠するフォーマットである。
【００５３】
制御部１６２は、メモリ及びＣＰＵによって構成されており、ＥＭＳ１６０を制御する。制御部１６２は、太陽電池１１０の発電量、蓄電池１２０の充電量及び蓄電池１２０の放電量を制御してもよい。
【００５４】
（メッセージフォーマット）
以下において、実施形態に係るメッセージフォーマットについて説明する。ここでは、所定フォーマットがＥＣＨＯＮＥＴ  Ｌｉｔｅ方式に準拠するフォーマットであるケースを例示する。
【００５５】
図４に示すように、ＳＥＴコマンドＭ５１０は、ヘッダＭ５１１と、コードＭ５１２と、対象プロパティＭ５１３とを含む。実施形態では、ＳＥＴコマンドＭ５１０は、電力制御メッセージに応じてＰＣＳ１３０の動作を指示するコマンドの一例であり、ＥＭＳ１６０からＰＣＳ１３０に送信されるコマンドである。すなわち、ＳＥＴコマンドＭ５１０は、電力制御メッセージの一例であると考えてもよい。
【００５６】
ヘッダＭ５１１は、ＳＥＴコマンドＭ５１０の宛先等を示す情報である。コードＭ５１２は、コードＭ５１２を含むメッセージの種別を示す情報である。ここでは、コードＭ５１２は、コードＭ５１２を含むメッセージがＳＥＴコマンドであることを示す情報である。対象プロパティＭ５１３は、ＥＭＳ１６０がＰＣＳ１３０に指示する動作を示すプロパティを含む。
【００５７】
図５に示すように、ＳＥＴ応答コマンドＭ５２０は、ヘッダＭ５２１と、コードＭ５２２と、応答内容Ｍ５２３とを含む。実施形態では、ＳＥＴ応答コマンドＭ５２０は、ＥＭＳ１６０から受信されるコマンドに応じて、ＰＣＳ１３０からＥＭＳ１６０に送信されるコマンドの一例である。
【００５８】
ヘッダＭ５２１は、ＳＥＴ応答コマンドＭ５２０の宛先等を示す情報である。コードＭ５２２は、コードＭ５２２を含むメッセージの種別を示す情報である。ここでは、コードＭ５２２は、コードＭ５２２を含むメッセージがＳＥＴ応答コマンドであることを示す情報である。応答内容Ｍ５２３は、ＳＥＴコマンドを受信したことを示す情報を含む。このような情報は、ＳＥＴコマンドに含まれるプロパティのコピーであってもよいし、肯定応答（Ａｃｋｎｏｗｌｅｄｇｅｍｅｎｔ；ＡＣＫ）であってもよい。またこのような情報は、これに限定されず、一部のデータだけを正しく受け取った旨を意図する応答（Ｓｅｌｅｃｔｉｖｅ  ＡＣＫ）であってもよい。
【００５９】
図６に示すように、ＧＥＴコマンドＭ６１０は、ヘッダＭ６１１と、コードＭ６１２と、対象プロパティＭ６１３とを含む。実施形態では、ＧＥＴコマンドＭ６１０は、ＰＣＳ１３０の状態を要求するコマンドの一例であり、ＥＭＳ１６０からＰＣＳ１３０に送信されるコマンドの一例である。
【００６０】
ヘッダＭ６１１は、ＧＥＴコマンドＭ６１０の宛先等を示す情報である。コードＭ６１２は、コードＭ６１２を含むメッセージの種別を示す情報である。ここでは、コードＭ６１２は、コードＭ６１２を含むメッセージがＧＥＴコマンドであることを示す情報である。対象プロパティＭ６１３は、ＥＭＳ１６０が知りたいプロパティを含む。
【００６１】
図７に示すように、ＧＥＴ応答コマンドＭ６２０は、ヘッダＭ６２１と、コードＭ６２２と、応答内容Ｍ６２３とを含む。実施形態では、ＧＥＴ応答コマンドＭ６２０は、ＥＭＳ１６０から受信されるコマンドに応じて、ＰＣＳ１３０からＥＭＳ１６０に送信されるコマンドの一例である。
【００６２】
ヘッダＭ６２１は、ＧＥＴ応答コマンドＭ６２０の宛先等を示す情報である。コードＭ６２２は、コードＭ６２２を含むメッセージの種別を示す情報である。ここでは、コードＭ６２２は、コードＭ６２２を含むメッセージがＧＥＴ応答コマンドであることを示す情報である。応答内容Ｍ６２３は、ＧＥＴコマンドによって要求されたプロパティを含む。
【００６３】
図８に示すように、ＩＮＦコマンドＭ７１０は、ヘッダＭ７１１と、コードＭ７１２と、対象プロパティＭ７１３とを含む。実施形態では、ＩＮＦコマンドＭ７１０は、送信元を表示装置１７０に通知するコマンドの一例であり、ＥＭＳ１６０から表示装置１７０に送信される送信元メッセージの一例である。
【００６４】
ヘッダＭ７１１は、ＩＮＦコマンドＭ７１０の宛先等を示す情報である。コードＭ７１２は、コードＭ７１２を含むメッセージの種別を示す情報である。ここでは、コードＭ７１２は、コードＭ７１２を含むメッセージがＩＮＦコマンドであることを示す情報である。対象プロパティＭ７１３は、ＥＭＳ１６０が通知するプロパティを含む。
【００６５】
（管理方法）
以下において、実施形態に係る管理方法について説明する。ここでは、ＰＣＳ１３０（通信装置１３２）とＥＭＳ１６０との通信で用いられる所定フォーマットがＥＣＨＯＮＥＴ  Ｌｉｔｅ方式に準拠するフォーマットであるケースを例示する。
【００６６】
図９に示すように、ステップＳ１０において、ＥＭＳ１６０は、外部サーバ４００から電力制御メッセージ（ここでは、潮流量抑制メッセージ）を受信する。但し、ステップＳ１０は必須ではなく、このステップが無くてもよい。ステップＳ１０は、蓄電池１２０から電力系統１０への逆潮流を一時的に許可するとＥＭＳ１６０が判断するステップであってもよい。
【００６７】
ステップＳ１１において、ＥＭＳ１６０は、ＳＥＴコマンドをＰＣＳ１３０に送信する。ＳＥＴコマンドは、上述した許可メッセージである。ＳＥＴコマンドは、上述した条件指定メッセージを含んでもよい。ＥＭＳ１６０は、上述したように、許可メッセージ及び条件指定メッセージを別々なＳＥＴコマンドで送信してもよい。
【００６８】
ステップＳ１２において、ＰＣＳ１３０は、ＳＥＴコマンドに対するＳＥＴ応答コマンドをＥＭＳ１６０に送信する。
【００６９】
ステップＳ１３において、ＰＣＳ１３０は、蓄電池１２０の動作を第１状態の動作から第２状態の動作に切り替える。
【００７０】
ステップＳ１４において、ＰＣＳ１３０は、第２状態の動作から第１状態の動作への切り替えが指示されているか否かによらずに、所定条件が満たされたことを検出する。所定条件は、上述したように、蓄電池１２０が第２状態の動作を継続する時間が所定時間に達することであってもよく、蓄電池１２０の累積出力が所定出力に達することであってもよい。
【００７１】
ステップＳ１５において、ＰＣＳ１３０は、蓄電池１２０の動作を第２状態の動作から第１状態の動作に切り替える。
【００７２】
ステップＳ１６Ａにおいて、ＥＭＳ１６０は、ＧＥＴコマンドをＰＣＳ１３０に送信する。ＧＥＴコマンドは、蓄電池１２０の動作状態をプロパティとして含む。例えば、動作状態は、蓄電池１２０が第１状態で動作しているか第２状態で動作しているかであってもよい。動作状態は、急速充電、充電、放電、待機、テストなど充放電の基準が異なる状態であってもよい。
【００７３】
ステップＳ１７Ａにおいて、ＰＣＳ１３０は、ＧＥＴコマンドに対するＧＥＴ応答コマンドをＥＭＳ１６０に送信する。ＧＥＴ応答コマンドは、蓄電池１２０の動作状態をプロパティとして含む。これによって、ＥＭＳ１６０は、蓄電池１２０が第１状態で動作しているか否かの判断材料を得ることができる。
【００７４】
図９に示す例では、ＥＭＳ１６０は、ＧＥＴコマンドの送信及びＧＥＴ応答コマンドの受信によって、蓄電池１２０が第１状態で動作しているか否かの判断材料を得る。しかしながら、実施形態はこれに限定されるものではない。
【００７５】
例えば、図１０に示すように、ステップＳ１６Ｂにおいて、ＰＣＳ１３０は、蓄電池１２０の動作を第２状態の動作から第１状態の動作に切り替えた場合に、ＩＮＦコマンドをＥＭＳ１６０に送信してもよい。ＩＮＦコマンドは、蓄電池１２０の動作状態をプロパティとして含む。図１０において、ステップＳ１０〜ステップＳ１５までの処理は図９と同様である。
【００７６】
図９及び図１０では、ＰＣＳ１３０は、許可メッセージの受信に応じて、蓄電池１２０の動作を第１状態の動作から第２状態の動作に切り替える。しかしながら、実施形態はこれに限定されるものではない。ＰＣＳ１３０は、許可メッセージの受信後において、蓄電池１２０の放電を指示するメッセージの受信に応じて、蓄電池１２０の動作を第１状態の動作から第２状態の動作に切り替えてもよい。
【００７７】
（作用及び効果）
実施形態では、ＥＭＳ１６０は、許可メッセージをＰＣＳ１３０に送信する。このような構成によれば、蓄電池１２０から電力系統１０への逆潮流を一時的に許可することができる。
【００７８】
実施形態では、第２状態の動作から第１状態の動作への切り替えが指示されなくても、所定条件が満たされた場合に、ＰＣＳ１３０の制御によって蓄電池１２０が第２状態の動作を停止する。このような構成によれば、本来であれば逆潮流が許可されていない蓄電池１２０を利用するにあたって、逆潮流が許可された第２状態が不適切に継続する事態を低減することができる。例えば、第２状態の動作から第１状態の動作への切り替えが何らかの理由で行われなかった場合であっても、第２状態の動作を適切に停止することができる。
【００７９】
［変更例１］
以下において、実施形態の変更例１について説明する。以下においては、実施形態に対する差異について主として説明する。
【００８０】
実施形態では、蓄電池１２０は、第２状態の動作から第１状態の動作への切り替えが指示されなくても、所定条件が満たされた場合に、ＰＣＳ１３０の制御によって第２状態の動作を停止する。これに対して、変更例１では、蓄電池１２０は、所定条件が満たされていなくても、第２状態の動作から第１状態の動作への切り替えが指示された場合に、ＰＣＳ１３０の制御によって第２状態の動作を停止する。
【００８１】
（管理方法）
以下において、変更例１に係る管理方法について説明する。ここでは、ＰＣＳ１３０（通信装置１３２）とＥＭＳ１６０との通信で用いられる所定フォーマットがＥＣＨＯＮＥＴ  Ｌｉｔｅ方式に準拠するフォーマットであるケースを例示する。
【００８２】
図１１に示すように、ステップＳ２０において、ＥＭＳ１６０は、外部サーバ４００から電力制御メッセージ（ここでは、潮流量抑制メッセージ）を受信する。但し、ステップＳ２０はオプションであり、ステップＳ２０は、蓄電池１２０から電力系統１０への逆潮流を一時的に許可するとＥＭＳ１６０が判断するステップであってもよい。
【００８３】
ステップＳ２１において、ＥＭＳ１６０は、ＳＥＴコマンドをＰＣＳ１３０に送信する。ＳＥＴコマンドは、上述した許可メッセージである。ＳＥＴコマンドは、上述した条件指定メッセージを含んでもよい。ＥＭＳ１６０は、上述したように、許可メッセージ及び条件指定メッセージを別々なＳＥＴコマンドで送信してもよい。
【００８４】
ステップＳ２２において、ＰＣＳ１３０は、ＳＥＴコマンドに対するＳＥＴ応答コマンドをＥＭＳ１６０に送信する。
【００８５】
ステップＳ２３において、ＰＣＳ１３０は、蓄電池１２０の動作を第１状態の動作から第２状態の動作に切り替える。
【００８６】
ステップＳ２４において、ＥＭＳ１６０は、ＳＥＴコマンドをＰＣＳ１３０に送信する。ＳＥＴコマンドは、第２状態の動作から第１状態の動作への切り替えを指示するメッセージである。
【００８７】
ステップＳ２５において、ＰＣＳ１３０は、ＳＥＴコマンドに対するＳＥＴ応答コマンドをＥＭＳ１６０に送信する。
【００８８】
ステップＳ２６において、ＰＣＳ１３０は、所定条件が満たされていなくても、蓄電池１２０の動作を第２状態の動作から第１状態の動作に切り替える。
【００８９】
ステップＳ２７Ａにおいて、ＥＭＳ１６０は、ＧＥＴコマンドをＰＣＳ１３０に送信する。ＧＥＴコマンドは、蓄電池１２０の動作状態をプロパティとして含む。例えば、動作状態は、蓄電池１２０が第１状態で動作しているか第２状態で動作しているかであってもよい。動作状態は、急速充電、充電、放電、待機、テストなど充放電の基準が異なる状態であってもよい。
【００９０】
ステップＳ２８Ａにおいて、ＰＣＳ１３０は、ＧＥＴコマンドに対するＧＥＴ応答コマンドをＥＭＳ１６０に送信する。ＧＥＴ応答コマンドは、蓄電池１２０の動作状態をプロパティとして含む。これによって、ＥＭＳ１６０は、蓄電池１２０が第１状態で動作しているか否かの判断材料を得ることができる。
【００９１】
図１１に示す例では、ＥＭＳ１６０は、ＧＥＴコマンドの送信及びＧＥＴ応答コマンドの受信によって、蓄電池１２０が第１状態で動作しているか否かの判断材料を得る。しかしながら、変更例１はこれに限定されるものではない。
【００９２】
例えば、図１２に示すように、ステップＳ２７Ｂにおいて、ＰＣＳ１３０は、蓄電池１２０の動作を第２状態の動作から第１状態の動作に切り替えた場合に、ＩＮＦコマンドをＥＭＳ１６０に送信してもよい。ＩＮＦコマンドは、蓄電池１２０の動作状態をプロパティとして含む。図１２において、ステップＳ２０〜ステップＳ２６までの処理は図１１と同様である。
【００９３】
変更例１では、第２状態の動作から第１状態の動作への切り替えの指示は、ＥＭＳ１６０からＰＣＳ１３０に送信されるメッセージによって行われる。しかしながら、変更例１はこれに限定されるものではない。第２状態の動作から第１状態の動作への切り替えの指示は、ユーザ操作によって行われてもよい。また、第２状態の動作から第１状態の動作への切り替えの指示は、分散電源が自身から電力を出力しないような運転モードへの変更の指示でもよく、待機するような運転モードへの変更の指示であってもよい。例えば、蓄電池１２０は、蓄電池１２０への充電、待機などの運転モードの変更指示を、第２状態の動作から第１状態の動作への切り替えの指示と解釈してもよい。
【００９４】
［変更例２］
以下において、実施形態の変更例２について説明する。以下においては、実施形態に対する差異について主として説明する。
【００９５】
実施形態では、第２状態の動作を停止する所定条件を指定する条件指定メッセージがＥＭＳ１６０からＰＣＳ１３０に送信される。これに対して、変更例２では、許可メッセージは、蓄電池１２０が第２状態の動作を継続する時間と対応付けられる。ＥＭＳ１６０は、許可メッセージと対応付けられた時間に応じて、許可メッセージの送信を繰り返す。従って、条件指定メッセージの送信が不要である。
【００９６】
（管理方法）
以下において、変更例２に係る管理方法について説明する。ここでは、ＰＣＳ１３０（通信装置１３２）とＥＭＳ１６０との通信で用いられる所定フォーマットがＥＣＨＯＮＥＴ  Ｌｉｔｅ方式に準拠するフォーマットであるケースを例示する。
【００９７】
図１３に示すように、ステップＳ３０において、ＥＭＳ１６０は、外部サーバ４００から電力制御メッセージ（ここでは、潮流量抑制メッセージ）を受信する。但し、ステップＳ３０はオプションであり、ステップＳ３０は、蓄電池１２０から電力系統１０への逆潮流を一時的に許可するとＥＭＳ１６０が判断するステップであってもよい。
【００９８】
ステップＳ３１において、ＥＭＳ１６０は、ＳＥＴコマンドをＰＣＳ１３０に送信する。ＳＥＴコマンドは、上述した許可メッセージである。
【００９９】
ステップＳ３２において、ＰＣＳ１３０は、ＳＥＴコマンドに対するＳＥＴ応答コマンドをＥＭＳ１６０に送信する。
【０１００】
ステップＳ３３において、ＰＣＳ１３０は、蓄電池１２０の動作を第１状態の動作から第２状態の動作に切り替える。
【０１０１】
ステップＳ３４において、ＥＭＳ１６０は、許可メッセージと対応付けられた時間が満了する前において、ＳＥＴコマンドをＰＣＳ１３０に送信する。ＳＥＴコマンドは、上述した許可メッセージである。
【０１０２】
ステップＳ３５において、ＰＣＳ１３０は、ＳＥＴコマンドに対するＳＥＴ応答コマンドをＥＭＳ１６０に送信する。
【０１０３】
すなわち、ＥＭＳ１６０は、第２状態の動作を継続したい場合には、許可メッセージと対応付けられた時間が満了する前において、許可メッセージ（ＳＥＴコマンド）の送信を繰り返す。一方で、第２状態の動作を停止したい場合には、許可メッセージ（ＳＥＴコマンド）の送信を停止する。
【０１０４】
ステップＳ３６において、ＰＣＳ１３０は、許可メッセージと対応付けられた時間の満了に応じて、蓄電池１２０の動作を第２状態の動作から第１状態の動作に切り替える。
【０１０５】
ステップＳ３７Ａにおいて、ＥＭＳ１６０は、ＧＥＴコマンドをＰＣＳ１３０に送信する。ＧＥＴコマンドは、蓄電池１２０の動作状態をプロパティとして含む。例えば、動作状態は、蓄電池１２０が第１状態で動作しているか第２状態で動作しているかであってもよい。動作状態は、急速充電、充電、放電、待機、テストなど充放電の基準が異なる状態であってもよい。
【０１０６】
ステップＳ３８Ａにおいて、ＰＣＳ１３０は、ＧＥＴコマンドに対するＧＥＴ応答コマンドをＥＭＳ１６０に送信する。ＧＥＴ応答コマンドは、蓄電池１２０の動作状態をプロパティとして含む。これによって、ＥＭＳ１６０は、蓄電池１２０が第１状態で動作しているか否かの判断材料を得ることができる。
【０１０７】
図１３に示す例では、ＥＭＳ１６０は、ＧＥＴコマンドの送信及びＧＥＴ応答コマンドの受信によって、蓄電池１２０が第１状態で動作しているか否かの判断材料を得る。しかしながら、変更例２はこれに限定されるものではない。
【０１０８】
例えば、図１４に示すように、ステップＳ３７Ｂにおいて、ＰＣＳ１３０は、蓄電池１２０の動作を第２状態の動作から第１状態の動作に切り替えた場合に、ＩＮＦコマンドをＥＭＳ１６０に送信してもよい。ＩＮＦコマンドは、蓄電池１２０の動作状態をプロパティとして含む。図１４において、ステップＳ３０〜ステップＳ３６までの処理は図１３と同様である。
【０１０９】
変更例２において、ＰＣＳ１３０及びＥＭＳ１６０は、許可メッセージと対応付けられた時間をカウントするタイマを有する。例えば、ＰＣＳ１３０は、ＳＥＴコマンド（許可メッセージ）の受信に応じてタイマを起動し、ＥＭＳ１６０は、ＳＥＴコマンド（許可メッセージ）の送信に応じてタイマを起動する。但し、変更例２はこれに限定されるものではない。ＰＣＳ１３０は、第２状態の動作への切り替えに応じてタイマを起動してもよい。ＥＭＳ１６０は、ＳＥＴ応答コマンドの受信に応じてタイマを起動してもよい。
【０１１０】
上述したように、変更例２において、所定条件は、ｎ番目の許可メッセージと対応付けられた時間が満了するまでにｎ＋１番目の許可メッセージを受信しないことであると考えてもよい。
【０１１１】
［変更例３］
以下において、実施形態の変更例３について説明する。以下においては、実施形態に対する差異について主として説明する。
【０１１２】
変更例３では、ＥＭＳ１６０からＰＣＳ１３０への許可メッセージの送信に先立って、ＰＣＳ１３０からＥＭＳ１６０に対して、第１状態と第２状態との切り替えが許容されるか否かを示すメッセージ（以下、切替能力メッセージ）を送信する。ＥＣＨＯＮＥＴ  Ｌｉｔｅ方式では、例えば、切替能力メッセージとしてインスタンスリストを用いることができる。第１状態と第２状態との切り替えが許容されるか否かは、蓄電池１２０の能力及び蓄電池１２０の契約のいずれか１つによって定められる。
【０１１３】
蓄電池１２０の能力は、逆潮流が許可されるために必要な電圧上昇抑制機能（ＡＶＲ；Ａｕｔｏｍａｔｉｃ  Ｖｏｌｔａｇｅ  Ｒｅｇｕｌａｔｏｒ）を有するか否かを示す情報である。ＥＭＳ１６０は、ＡＶＲ機能を有する蓄電池１２０を対象として許可メッセージを送信する。一方で、ＥＭＳ１６０は、ＡＶＲ機能を有しておらず、逆電力防止機能（ＲＰＲ；Ｒｅｖｅｒｓｅ  Ｐｏｗｅｒ  Ｒｅｌａｙ）のみを有する蓄電池１２０を対象として許可メッセージを送信しない。
【０１１４】
蓄電池１２０の契約は、発電事業者、送配電事業者或いは小売事業者などの事業者と蓄電池１２０のユーザとの間の契約である。ＥＭＳ１６０は、逆潮流の一時的な許可を許容する契約を有する蓄電池１２０を対象として許可メッセージを送信する。ＥＭＳ１６０は、逆潮流の一時的な許可を許容する契約を有していない蓄電池１２０を対象として許可メッセージを送信しない。
【０１１５】
（管理方法）
以下において、変更例３に係る管理方法について説明する。ここでは、ＰＣＳ１３０（通信装置１３２）とＥＭＳ１６０との通信で用いられる所定フォーマットがＥＣＨＯＮＥＴ  Ｌｉｔｅ方式に準拠するフォーマットであるケースを例示する。
【０１１６】
図１５に示すように、ステップＳ４０において、ＥＭＳ１６０は、インスタンスリストをＰＣＳ１３０から受信する。インスタンスリストは、上述した切替能力メッセージを含む。特に限定されるものではないが、ＰＣＳ１３０がインスタンスリストを送信するタイミングは、ＰＣＳ１３０がＥＭＳ１６０と接続されたタイミングであってもよく、ＰＣＳ１３０の電源が投入されたタイミングであってもよく、蓄電池１２０の電源が投入されたタイミングであってもよい。
【０１１７】
図１５では、ＳＥＴコマンド（許可メッセージ）の送信以降の処理として図９に示す処理を例示しているが、ＳＥＴコマンド（許可メッセージ）の送信以降の処理は、図１０〜図１４に示す処理であってもよい。
【０１１８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１９】
実施形態では、通信装置１３２とＥＭＳ１６０との通信で用いられる所定フォーマットがＥＣＨＯＮＥＴ  Ｌｉｔｅ方式に準拠するフォーマットであるケースについて説明した。しかしながら、実施形態はこれに限定されるものではない。所定フォーマットは、施設１００で用いるフォーマットとして規格化されたフォーマットであればよい。
【０１２０】
実施形態では、太陽電池１１０及び蓄電池１２０の出力を制御するＰＣＳ１３０（マルチＰＣＳ）を例示した。しかしながら、実施形態はこれに限定されるものではない。ＰＣＳ１３０は、太陽電池１１０を制御するＰＣＳであってもよく、蓄電池１２０の出力を制御するＰＣＳであってもよい。
【０１２１】
実施形態では、表示装置１７０は、例えば、スマートフォン、タブレット、テレビ又は専用端末である。しかしながら、実施形態はこれに限定されるものではない。表示装置１７０は、変換装置１３１を操作するリモートコントローラであってもよい。リモートコントローラは、ＰＣＳ１３０の一部であると考えてもよい。
【０１２２】
実施形態では、第１通信部１３２Ａ及び第２通信部１３２Ｂが別の構成である場合について説明したが、第１通信部１３２Ａ及び第２通信部１３２Ｂが一体の構成であってもよい。すなわち、第１通信部１３２Ａが第２通信部１３２Ｂの役割を兼ねてもよい。
【０１２３】
実施形態では、施設１００から電力系統１０への逆潮流が許可されていない状態で動作する分散電源として蓄電池１２０を例示した。しかしながら、実施形態はこれに限定されるものではない。逆潮流が許可されていない状態で動作する分散電源は、太陽電池１１０及び燃料電池などのように、蓄電池１２０以外の分散電源であってもよい。
【０１２４】
太陽電池１１０、燃料電池又は蓄電池１２０などの分散電源が発電した電力を逆潮流していたときに、逆潮流量を抑制する指令を受けて逆潮流量を低減している場合に、上述した実施形態、変更例１、変更例２及び変更例３のいずれかを適用してもよい。具体的には、出力抑制メッセージを実行することにより逆潮流が許可されていない第１状態で動作する分散電源に対して、一時的に逆潮流を許可する第２状態で動作させてもよい。
【０１２５】
分散電源が太陽電池１１０である場合には、逆潮流が許可されていない第１状態として出力抑制状態を想定することができ、電力系統１０の状況に応じて出力抑制状態を緩和して逆潮流を許可する第２状態へ一部の施設１００を変更させることなどが想定される。この場合、施設１００の出力抑制状態は維持しつつ、例外的に逆潮流を可能とさせるように第２状態を設定することが可能である。第１状態から第２状態への変更は、上述の通り、許可メッセージ又は条件設定メッセージ等を用いることができる。
【０１２６】
また、太陽電池１１０が出力抑制状態である場合に、原則として逆潮流が許可されていない第１状態の蓄電池１２０を第２状態へ切り替えてもよい。
【０１２７】
実施形態では、ＥＭＳ１６０からＰＣＳ１３０に対して、各種メッセージが送信される。しかしながら、実施形態はこれに限定されるものではない。ＥＭＳ１６０から蓄電池１２０に対して、各種メッセージが直接的に送信されてもよい。
【０１２８】
実施形態では特に触れていないが、第２状態は、逆潮流が許可された状態に過ぎないため、第２状態において逆潮流が必ず行われるとは限らない。例えば、蓄電池１２０の蓄電残量が閾値よりも少ない場合には、第２状態であっても蓄電池１２０の放電が行われなくてもよい。
【０１２９】
なお、日本国特許出願第２０１６−１２７６２５号（２０１６年６月２８日出願）の全内容が参照により本願明細書に組み込まれている。
【図１】
0006794445.tif 000002
【図２】
0006794445.tif 000003
【図３】
0006794445.tif 000004
【図４】
0006794445.tif 000005
【図５】
0006794445.tif 000006
【図６】
0006794445.tif 000007
【図７】
0006794445.tif 000008
【図８】
0006794445.tif 000009
【図９】
0006794445.tif 000010
【図１０】
0006794445.tif 000011
【図１１】
0006794445.tif 000012
【図１２】
0006794445.tif 000013
【図１３】
0006794445.tif 000014
【図１４】
0006794445.tif 000015
【図１５】
0006794445.tif 000016